(57)【要約】【課題】軒樋の取付作業及び取外し作業の妨げとなることなく雨水の跳ね返り及び舞い上がりを防止することができ且つ水切り部材の組み付け作業及び取り外し作業の煩雑さを招くことなくばたつきを防止することができる軒先水切りを提供する。【解決手段】水切り部材２２を、可撓性を有する材料で形成し、水切り部材２２をその下端部２２ｃが軒樋１４の内方に位置するように配置し、水切り部材２２の上面２２ａに、該上面から突出し且つ水切り部材２２の長手方向に伸びる複数の凸部２３を水切り部材２２の垂れ下がり方向に互いに所定の間隔をおいて形成する。【選択図】図３
2008075403.tif 000002
【特許請求の範囲】
【請求項１】
建物の軒先に沿って配置され、前記建物の屋根葺材と該屋根葺材の下方に配置された屋根下地材との間から前記軒先に設けられた軒樋に向けて前記屋根下地材の軒先端部を覆うように垂れ下がる水切り部材を備える軒先水切りであって、前記水切り部材は、その下端が前記軒樋の内方に位置するように配置されており、前記水切り部材の前記屋根葺材側に位置する面及び屋根下地材側に位置する面のうち少なくとも一方の面には、該面から突出し且つ前記水切り部材の長手方向に伸びる複数の凸部が形成されていることを特徴とする軒先水切り。
【請求項２】
前記水切り部材の前記屋根下地材の前記軒先端部に対応する部分には前記凸部が形成されておらず、前記部分は前記凸部とは異なる形状をなしていることを特徴とする請求項１に記載の軒先水切り。
【請求項３】
前記水切り部材は、前記屋根葺材と前記屋根下地材との間に挿入され前記屋根葺材又は前記屋根下地材に固定される固定部を有し、該固定部における前記一方の面には前記凸部が形成されておらず、前記固定部における前記一方の面は平坦面であることを特徴とする請求項１又は２に記載の軒先水切り。
【請求項４】
前記水切り部材には、その垂れ下がり方向に沿って前記各凸部をそれぞれ横切るように伸びる溝部が形成されていることを特徴とする請求項１乃至３のいずれか一項に記載の軒先水切り。
【請求項５】
前記水切り部材には、その長手方向に伸びるように配置され、前記水切り部材を補強するための補強部材が設けられていることを特徴とする請求項１乃至４のいずれか一項に記載の軒先水切り。
【発明の詳細な説明】
【技術分野】
【０００１】
本発明は、建物の軒先に設けられる軒先水切りに関する。
【背景技術】
【０００２】
一般的に、例えば建物の屋根の軒先には、該軒先に沿って伸び、瓦のような屋根葺材から流れ落ちる雨水を受けるための軒樋が取り付けられている。また、軒先には、屋根葺材から軒樋に流れ落ちる雨水が野地板のような屋根下地材の軒先端部に付着することを防止するための軒先水切りが設けられている。軒先水切りは、軒先に沿って伸びる板状をなした金属製の水切り部材を備え、該水切り部材は屋根葺材及び野地板間から軒樋内に向けて野地板の軒先端部を覆うように垂れ下がっている。屋根葺材から流れ落ちる雨水の一部が水切り部材により軒樋に向けて案内されるので、屋根葺材から流れ落ちる雨水が野地板に付着することが防止される。これにより、雨水が野地板に付着することによる野地板の腐食を防止することができる。
【０００３】
しかしながら、水切り部材が金属製であることから、水切り部材を容易に変形させることができないため、水切り部材の下端が軒樋の内方に位置するように軒先から軒樋への水切り部材の垂れ下がり量を設定すると、水切り部材が軒先への軒樋の取付作業及び軒先からの軒樋の取外し作業の妨げとなる。他方、水切り部材が軒樋の取付作業及び取外し作業の妨げとなることを防止するために、水切り部材の垂れ下がり量を水切り部材の下端が軒樋の上方に位置するように設定すると、水切り部材の下端と軒樋の底部との間に大きな間隔がおかれるため、水切り部材から軒樋に流入した雨水が軒樋の底部から跳ね返ったり、雨水が水切り部材から軒樋に流下する途中で風により舞い上がったりする虞がある。
【０００４】
そこで、軒樋の取付作業及び取外し作業の妨げとなることなく雨水の跳ね返り及び舞い上がりを防止することができる軒先水切りが提案されている（例えば、特許文献１参照。）。
【０００５】
この軒先水切りは、ポリプロピレンのような可撓性を有する材料からなるシート状の水切り部材を備え、該水切り部材は、屋根葺材及び野地板間から軒樋の内方に垂れ下がるように配置されている。これによれば、水切り部材が屋根葺材及び野地板間から軒樋の内方に垂れ下がっていることから、水切り部材の下端と軒樋の底部との間の間隔を小さくすることができるので、水切り部材から軒樋に流入した雨水が軒樋の底部から跳ね返ったり、雨水が水切り部材から軒樋に流下する途中で風により舞い上がったりすることが抑制される。また、水切り部材が可撓性を有することから、軒先への軒樋の取り付け時及び軒先からの軒樋の取り外し時に水切り部材を例えばめくり上げることができるので、水切り部材が軒樋の取付作業及び取外し作業の妨げになることを防止することができる。
【特許文献１】特開平６−１０８５９７号公報
【発明の開示】
【発明が解決しようとする課題】
【０００６】
しかしながら、水切り部材が可撓性を有することから、水切り部材が風を受けたとき、水切り部材はその垂れ下がり方向すなわち幅方向で互いに対向する両縁部が互いに近づく方向又は長手方向で互いに対向する両端部が互いに近づく方向に容易に変形するため、この変形により水切り部材に大きなばたつきが生じ易い。水切り部材のばたつきを防止するために水切り部材の自由端である下端を例えば軒樋に固定することが考えられるが、水切り部材の組み付け時に水切り部材の下端を軒樋に固定する作業が必要となり、また、水切り部材の取り外し時に軒樋への水切り部材の下端の固定を解除する作業が必要となるため、水切り部材の組み付け作業及び取り外し作業が煩雑になる。
【０００７】
そこで、本発明の目的は、軒樋の取付作業及び取外し作業の妨げとなることなく雨水の跳ね返り及び舞い上がりを防止することができ且つ水切り部材の組み付け作業及び取り外し作業の煩雑さを招くことなくばたつきを防止することができる軒先水切りを提供することにある。
【課題を解決するための手段】
【０００８】
上記課題を解決するために、請求項１に記載の発明は、建物の軒先に沿って配置され、前記建物の屋根葺材と該屋根葺材の下方に配置された屋根下地材との間から前記軒先に設けられた軒樋に向けて前記屋根下地材の軒先端部を覆うように垂れ下がる水切り部材を備える軒先水切りであって、前記水切り部材は、その下端が前記軒樋の内方に位置するように配置されており、前記水切り部材の前記屋根葺材側に位置する面及び屋根下地材側に位置する面のうち少なくとも一方の面には、該面から突出し且つ前記水切り部材の長手方向に伸びる複数の凸部が形成されていることを特徴とする。
【０００９】
請求項２に記載の発明は、請求項１に記載の発明において、前記水切り部材の前記屋根下地材の前記軒先端部に対応する部分には前記凸部が形成されておらず、前記部分は前記凸部とは異なる形状をなしていることを特徴とする。
【００１０】
請求項３に記載の発明は、請求項１又は２に記載の発明において、前記水切り部材は、前記屋根葺材と前記屋根下地材との間に挿入され前記屋根葺材又は前記屋根下地材に固定される固定部を有し、該固定部における前記一方の面には前記凸部が形成されておらず、前記固定部における前記一方の面は平坦面であることを特徴とする。
【００１１】
請求項４に記載の発明は、請求項１乃至３のいずれか一項に記載の発明において、前記水切り部材には、その垂れ下がり方向に沿って前記各凸部をそれぞれ横切るように伸びる溝部が形成されていることを特徴とする。
【００１２】
請求項５に記載の発明は、請求項１乃至４のいずれか一項に記載の発明において、前記水切り部材には、その長手方向に伸びるように配置され、前記水切り部材を補強するための補強部材が設けられていることを特徴とする。
【発明の効果】
【００１３】
請求項１に記載の発明によれば、水切り部材は、その下端が軒樋の内方に位置するように配置されていることから、水切り部材の下端が軒樋の上方に位置する場合に比べて水切り部材の下端と軒樋の底部との間の間隔を小さくすることができるので、水切り部材に案内されて軒樋内に流入した雨水が軒樋の底部から跳ね返ったり、雨水が水切り部材から軒樋に流下する途中で風により舞い上がったりすることを確実に抑制することができる。これにより、軒樋の底部から跳ね返った雨水や風により舞い上がった雨水が屋根下地材に付着することが防止されるので、これらの雨水が屋根下地材に付着することによる屋根下地材の腐食を確実に防止することができる。
【００１４】
また、水切り部材の屋根葺材側に位置する面及び屋根下地材側に位置する面のうち少なくとも一方の面に、該面から突出し且つ水切り部材の長手方向に伸びる複数の凸部が形成されていることから、各凸部間で規定される線を屈曲線として水切り部材をその垂れ下がり方向で互いに対向する両縁部が互いに近づく方向に前記屈曲線で容易に曲げることができる。これにより、水切り部材がたとえ金属製であったとしても、前記両縁部が互いに近づく方向への水切り部材の曲げ変形が許容されることから、軒先への軒樋の取り付け時及び軒先からの軒樋の取り外し時に、水切り部材を容易にめくり上げることができるので、水切り部材が軒樋の取付作業及び取外し作業の妨げになることを確実に防止することができる。
【００１５】
従って、軒樋の取付作業及び取外し作業の妨げとなることなく雨水の跳ね返り及び舞い上がりを防止することができる。
【００１６】
更に、水切り部材の前記一方の面に水切り部材の長手方向に伸びる複数の凸部が形成されていることから、水切り部材に該水切り部材をその長手方向で互いに対向する両端部が互いに近づくように撓み変形させる外力が作用したとき、各凸部には、前記外力が各凸部をそれぞれの長手方向に圧縮する圧縮力又は引っ張る引っ張り力として作用する。これにより、水切り部材に作用する前記外力の大部分を各凸部で受け止めることができるので、水切り部材が風を受けたときに風から受ける力によって前記両端部が互いに近づく方向へ撓み変形することを確実に抑制することができる。従って、水切り部材に作用する前記外力に対する水切り部材の強度を各凸部により補うことができるので、水切り部材が風を受けたときにその前記両端部が互いに近づく方向に容易に変形することによる従来のような大きなばたつきが水切り部材に生じることを確実に抑制することができる。
【００１７】
また、各凸部の前記した補強作用により水切り部材の従来のようなばたつきが防止されることから、水切り部材のばたつきを防止するために水切り部材の自由端である下端を例えば軒樋に固定する必要はない。これにより、水切り部材の下端を固定することによる従来のような水切り部材の組み付け作業及び取り外し作業の煩雑さの発生を確実に防止することができる。
【００１８】
従って、水切り部材の組み付け作業及び取り外し作業の煩雑さを招くことなく水切り部材のばたつきを防止することができる。
【００１９】
請求項２に記載の発明によれば、水切り部材の屋根下地材の軒先端部に対応する部分には凸部が形成されておらず、前記部分は凸部とは異なる形状をなしていることから、前記部分と水切り部材の前記部分以外の部分とを容易に判別することができるので、水切り部材を軒先に取り付けるために水切り部材の一方の縁部を屋根葺材と屋根下地材との間に挿入したとき、前記部分を屋根下地材の軒先端部に容易に合わせることができる。これにより、水切り部材の前記部分に屋根葺材及び屋根下地材間への水切り部材の適正な挿入位置を示す目印としての役割を担わせことができることから、軒先への水切り部材の取り付け時に水切り部材を容易に位置決めすることができるので、軒先への水切り部材の取付作業の効率を確実に向上させることができる。
【００２０】
請求項３に記載の発明によれば、水切り部材は、屋根葺材と屋根下地材との間に挿入され屋根葺材又は屋根下地材に固定される固定部を有し、該固定部における前記一方の面には凸部が形成されておらず、固定部における前記一方の面は平坦面であることから、固定部に凸部が形成されている場合に比べて屋根葺材及び屋根下地材への固定部の接触面積を大きくすることができる。これにより、固定部に凸部が形成されている場合に比べて屋根葺材又は屋根下地材への固定部の固定強度を確実に高めることができる。
【００２１】
請求項４に記載の発明によれば、水切り部材には、その垂れ下がり方向に沿って各凸部を横切るように伸びる溝部が形成されていることから、溝部の形成により各凸部はそれぞれ部分的に除去されている。これにより、水切り部材上の雨水の一部は、各凸部間からそれぞれの除去された部分を経て溝部内に流入し、該溝部に案内されることにより水切り部材上を軒樋に向けて流下する。従って、この溝部の案内作用により、各凸部間に雨水が滞留することが防止されるので、各凸部間に雨水が滞留することによる例えばカビの発生や屋根下地材の腐食等を防止することができる。
【００２２】
請求項５に記載の発明によれば、水切り部材には、その長手方向に伸びるように配置され、水切り部材を補強するための補強部材が設けられていることから、水切り部材をその長手方向で互いに対向する両端部が互いに近づくように撓み変形させる外力に対する水切り部材の強度を高めることができる。これにより、水切り部材に作用する前記外力の大部分を各凸部に加えて補強部材で受け止めることができるので、水切り部材が風を受けたときにその前記両端部が互いに近づく方向に容易に変形することによる従来のような大きなばたつきが水切り部材に生じることを、より確実に抑制することができる。
【発明を実施するための最良の形態】
【００２３】
本発明を図示の実施例に沿って説明する。
【実施例】
【００２４】
図１は、本発明に係る軒先水切り１０を住宅１１の軒先１２に適用した例を示す。
【００２５】
住宅１１の軒下には、横長の従来よく知られた鼻隠し板１３が設けられている。鼻隠し板１３には、該鼻隠し板に沿って伸びる軒樋１４が取付具１５を介して支持されている。
【００２６】
軒樋１４は、底壁１６と、該底壁の住宅側に位置する縁部及び該縁部と反対側の縁部からそれぞれ上方へ立ち上がる一組の側壁１７とを有し、上方へ開放している。
【００２７】
鼻隠し板１３の上方には、図示の例では、屋根下地材である野地板１９と屋根葺材である複数の瓦２０とを備える屋根１８が設けられている。
【００２８】
野地板１９は、その軒先１２側に位置する軒先端部１９ａが鼻隠し板１３から軒樋１４の上方に突出するように配置されている。野地板１９には、軒先１２に向けて下るように傾斜が与えられている。野地板１９の上面１９ｂは、野地板１９を防水するための防水シート２１で被覆されている。防水シート２１は、図示の例では、従来よく知られたアスファルトルーフィングで構成されている。
【００２９】
各瓦２０は、図示の例では、それぞれ従来よく知られたスレート板で構成されており、防水シート２１の上方で野地板１９にほぼ平行に配置されている。
【００３０】
瓦２０上を軒先１２に向けて流下する雨水は、従来よく知られているように、瓦２０から軒樋１４に流れ落ち、軒樋１４から図示しない縦樋に流入し、該縦樋を通って地上に案内される。
【００３１】
本発明に係る軒先水切り１０は、軒先１２に沿って伸びるように配置された長尺状の水切り部材２２を備える。水切り部材２２は、図示の例では、アルミニウム板からなり、瓦２０と野地板１９との間から軒樋１４に向けて垂れ下がるように配置されている。
【００３２】
水切り部材２２の瓦２０側に位置する上面２２ａには、図２及び図３に示すように、該上面から瓦２０に向けて突出し且つ水切り部材２２の長手方向に沿って伸びる複数の凸部２３が水切り部材２２の垂れ下がり方向すなわち水切り部材２２の幅方向に連続的に形成されている。各凸部２３は、図示の例では、水切り部材２２にプレス加工を施すことにより形成される。各凸部２３の形成により、水切り部材２２の横断面はほぼ波形をなしている。
【００３３】
水切り部材２２は、その幅方向の一半部に瓦２０と野地板１９の軒先端部１９ａとの間に挿入される挿入部２４を有し、その他半部に野地板１９の軒先端部１９ａから軒樋１４に向けて垂れ下がる垂下部２５を有する。
【００３４】
挿入部２４の上端部すなわち水切り部材２２の上端部２２ｂには、野地板１９及び瓦２０間で固定される固定部分２６が形成されている。固定部分２６の上面２６ａには各凸部２３は形成されておらず、固定部分２６の上面２６ａは平坦面である。固定部分２６は、図示の例では、その上面２６ａに設けられた粘着テープ２７により防水シート２１に固定されている。
【００３５】
垂下部２５の水切り部材２２の幅方向に沿った寸法である垂れ下がり量は、図１に示すように、垂下部２５の下端部すなわち水切り部材２２の下端部２２ｃが軒樋１４の内方に位置するように設定されている。水切り部材２２の配置により、野地板１９の軒先端部１９ａは、垂下部２５で覆われる。これにより、降ってきた雨が野地板１９の軒先端部１９ａに付着したり、瓦２０から軒樋１４に流下する雨水が野地板１９の軒先端部１９ａに付着したりすることが防止される。
【００３６】
水切り部材２２は、図１に示すように、垂下部２５の垂れ下がり方向を調節するために、挿入部２４と垂下部２５との間に形成された屈曲部２８で折り曲げられている。
【００３７】
屈曲部２８は、図２及び図３に示すように、水切り部材２２の長手方向に伸び、固定部分２６が防水シート２１に固定された状態で野地板１９の軒先端部１９ａに対応する位置で水切り部材２２に形成されている。屈曲部２８は、図示の例では、水切り部材２２に二箇所で形成されており、折り曲げる位置に応じて野地板１９の軒先端部１９ａからの垂下部２５の垂れ下がり量を調節することができる。
【００３８】
各屈曲部２８の上面２８ａには各凸部２３は形成されておらず、各屈曲部２８の上面２８ａは、図示の例では、平坦面である。これにより、各屈曲部２８を水切り部材２２の各屈曲部２８以外の部分と容易に判別することができるので、軒先１２への水切り部材２２の取り付け時に挿入部２４を野地板１９及び防水シート２１間に挿入する際、各屈曲部２８を野地板１９の軒先端部１９ａに容易に合わせることができる。
【００３９】
水切り部材２２の上面２２ａには、図示の例では、水切り部材２２の幅方向に沿って伸びる溝部２９が形成されている。溝部２９は、図２に示す例では、挿入部２４に形成された各凸部２３をそれぞれ横切っており、これにより、該各凸部は部分的に除去されている。挿入部２４と防水シート２１との間に浸入した雨水の一部は、図４に矢印で示すように、挿入部２４に形成された各凸部２３間からそれぞれの除去された部分を経て溝部２９内に流入し、該溝部に案内されることにより挿入部２４上を屋外に向けて流下する。
【００４０】
また、本実施例では、水切り部材２２に、該水切り部材を補強するための複数の補強部材３０が設けられている。各補強部材３０は、図３に示すように、それぞれ水切り部材２２の長手方向に伸びるように水切り部材２２内に各凸部２３間で埋設されている。
【００４１】
本実施例によれば、前記したように、水切り部材２２は、その下端部２２ｃが軒樋１４の内方に位置するように配置されていることから、水切り部材２２の下端部２２ｃが軒樋１４の上方に位置する場合に比べて水切り部材２２の下端部２２ｃと軒樋１４の底壁１６との間の間隔を小さくすることができるので、水切り部材２２に案内されて軒樋１４内に流入した雨水が軒樋１４の底壁１６から跳ね返ったり、雨水が水切り部材２２から軒樋１４に流下する途中で風により舞い上がったりすることを確実に抑制することができる。これにより、軒樋１４の底壁１６から跳ね返った雨水や風により舞い上がった雨水が野地板１９の軒先端部１９ａに付着することが防止されるので、これらの雨水が野地板１９に付着することによる野地板１９の腐食を確実に防止することができる。
【００４２】
また、水切り部材２２の上面２２ａに、該上面から突出し且つ水切り部材２２の長手方向に伸びる複数の凸部２３が形成されていることから、各凸部２３間で規定される線を屈曲線として水切り部材２２をその上端部２２ｂ及び下端部２２ｃが互いに近づく方向に前記屈曲線で容易に曲げることができる。これにより、水切り部材２２がたとえ金属製であったとしても、上端部２２ｂ及び下端部２２ｃが互いに近づく方向への水切り部材２２の曲げ変形が許容されることから、軒先１２への軒樋１４の取り付け時及び軒先１２からの軒樋１４の取り外し時に、水切り部材２２を容易にめくり上げることができるので、水切り部材２２が軒樋１４の取付作業及び取外し作業の妨げになることを確実に防止することができる。
【００４３】
従って、軒樋１４の取付作業及び取外し作業の妨げとなることなく雨水の跳ね返り及び舞い上がりを確実に防止することができる。
【００４４】
更に、水切り部材２２の上面２２ａに形成された各凸部２３が水切り部材２２の長手方向に伸びることから、水切り部材２２に該水切り部材をその長手方向で互いに対向する両端部２２ｄ，２２ｅ（図２参照。）が互いに近づくように撓み変形させる外力が作用したとき、各凸部２３には、前記外力が各凸部２３をそれぞれの長手方向に圧縮する圧縮力として作用する。これにより、水切り部材２２に作用する前記外力の大部分を各凸部２３で受け止めることができるので、水切り部材２２が風を受けたときに風から受ける力によって前記両端部２２ｄ，２２ｅが互いに近づく方向へ撓み変形することを確実に抑制することができる。従って、水切り部材２２に作用する前記外力に対する水切り部材２２の強度を各凸部２３により補うことができるので、水切り部材２２が風を受けたときにその前記両端部２２ｄ，２２ｅが互いに近づく方向に容易に変形することによる従来のような大きなばたつきが水切り部材２２に生じることを確実に抑制することができる。
【００４５】
また、各凸部２３の前記した補強作用により水切り部材２２の従来のようなばたつきが防止されることから、水切り部材２２のばたつきを防止するために水切り部材２２の自由端部である下端部２２ｃを例えば軒樋１４に固定する必要はない。これにより、水切り部材２２の下端部２２ｃを固定することによる従来のような水切り部材２２の組み付け作業及び取り外し作業の煩雑さの発生を確実に防止することができる。
【００４６】
従って、水切り部材２２の組み付け作業及び取り外し作業の煩雑さを招くことなく水切り部材２２のばたつきを防止することができる。
【００４７】
更に、前記したように、各屈曲部２８の上面２８ａに各凸部２３を形成することなく各屈曲部２８の上面２８ａを平坦面で構成することにより、軒先１２への水切り部材２２の取り付け時に挿入部２４を野地板１９及び防水シート２１間に挿入する際、各屈曲部２８を野地板１９の軒先端部１９ａに容易に合わせることができることから、水切り部材２２の屈曲部２８が野地板１９及び防水シート２１間への水切り部材２２の挿入部２４の適正な挿入位置を示す目印としての役割を担う。これにより、水切り部材２２を容易に位置決めすることができるので、軒先１２への水切り部材２２の取付作業の効率を確実に向上させることができる。
【００４８】
また、前記したように、水切り部材２２の挿入部２４に形成された固定部分２６の上面２６ａには凸部２３が形成されておらず、固定部分２６の上面２６ａは平坦面であることから、固定部分２６に凸部２３が形成されている場合に比べて防水シート２１への固定部分２６の接触面積を大きくすることができる。これにより、固定部分２６に凸部２３が形成されている場合に比べて防水シート２１への固定部分２６の固定強度を確実に高めることができる。
【００４９】
更に、前記したように、水切り部材２２の挿入部２４に形成された溝部２９により、挿入部２４と防水シート２１との間に浸入した雨水の一部が挿入部２４上を屋外に向けて案内されることから、この溝部２９の案内作用により、各凸部２３間に雨水が滞留することが防止されるので、各凸部２３間に雨水が滞留することによる例えばカビの発生や野地板１９の腐食等を防止することができる。
【００５０】
また、前記したように、水切り部材２２には、その長手方向に伸びるように配置された複数の補強部材３０が埋設されていることから、水切り部材２２をその前記両端部２２ｄ，２２ｅが互いに近づくように撓み変形させる外力に対する水切り部材２２の強度を高めることができる。これにより、水切り部材２２に作用する前記外力の大部分を各凸部２３に加えて各補強部材３０で受け止めることができるので、水切り部材が風を受けたときにその前記両端部２２ｄ，２２ｅが互いに近づく方向に容易に変形することによる従来のような大きなばたつきが水切り部材に生じることを、より確実に抑制することができる。
【００５１】
更に、前記したように水切り部材２２がアルミニウム板からなることから、水切り部材２２が例えばポリプロピレンのような樹脂材料からなる場合に比べて、例えば水切り部材２２に照射される太陽光に含まれる紫外線による水切り部材２２の劣化を確実に抑制することができる。
【００５２】
本実施例では、水切り部材２２の上面２２ａに各凸部２３をそれぞれ形成した例を示したが、これに代えて、各凸部２３をそれぞれ水切り部材２２の下面に形成することができる。この場合、水切り部材２２に該水切り部材をその前記両端部２２ｄ，２２ｅが互いに近づくように撓み変形させる外力が作用したとき、各凸部２３には、前記外力が各凸部２３をそれぞれの長手方向に引っ張る引っ張り力として作用するので、水切り部材２２に作用する前記外力の大部分を各凸部２３で受け止めることができる。また、各凸部２３をそれぞれ水切り部材２２の上面２２ａ及び下面のそれぞれに形成することができる。これにより、水切り部材２２をその前記両端部２２ｄ，２２ｅが互いに近づくように撓み変形させる外力に対する水切り部材２２の強度を高めることができる。
【００５３】
また、本実施例では、溝部２９が挿入部２４に形成された例を示したが、これに代えて、又は、これに加えて、溝部２９を垂下部２５に形成することができる。この場合、瓦２０から垂下部２５上に流下した雨水の一部は、垂下部２５の各凸部２３間からそれぞれの除去された部分を経て溝部２９内に流入し、該溝部に案内されることにより垂下部２５上を軒樋１４に向けて流下するので、垂下部２５に形成された各凸部２３間に雨水が滞留することを防止することができる。
【００５４】
更に、本実施例では、水切り部材２２の挿入部２４が野地板１９と防水シート２１との間に挿入された例を示したが、これに代えて、挿入部２４を例えば防水シート２１と瓦２０との間に挿入することができる。この場合、挿入部２４の固定部分２６を防水シート２１又は瓦２０に固定することができる。
【００５５】
また、本実施例では、水切り部材２２がアルミニウム板からなる例を示したが、これに代えて、水切り部材２２をアルミニウム以外の材料で形成することができる。
【００５６】
更に、本実施例では、本発明に係る軒先水切り１０を住宅１１の軒先１２に適用した例を示したが、これに代えて、住宅１１以外の建物の軒先に本発明を適用することができる。
【００５７】
また、本実施例において、例えば図５に示すように、軒樋１４内にゴミや落ち葉等が入ることを防止するための網３１が軒樋１４上に設けられている場合、水切り部材２２の下端部２２ｃを網３１に接合することができる。これにより、ゴミや落ち葉等が網３１と水切り部材２２との間を経て軒樋１４内に入ることを防止することができる。
【図面の簡単な説明】
【００５８】
【図１】本発明に係る軒先水切りが設けられた住宅の軒先を概略的に示す横断面図である。
【図２】本発明に係る軒先水切りを概略的に示す斜視図である。
【図３】図２のI−I線に沿った横断面図である。
【図４】本発明に係る軒先水切りを部分的に拡大した斜視図である。
【図５】図１とは別の実施例を概略的に示す縦断面図である。
【符号の説明】
【００５９】
１０  軒先水切り
１１  建物（住宅）
１２  軒先
１４  軒樋
１９  屋根下地材（野地板）
１９ａ  軒先端部
２０  屋根葺材（瓦）
２２  水切り部材
２２ａ  一方の面（水切り部材の上面）
２２ｃ  下端（水切り部材の下端部）
２３  凸部
２６  固定部（固定部分）
２９  溝部
３０  補強部材
【図１】
2008075403.tif 000003
【図２】
2008075403.tif 000004
【図３】
2008075403.tif 000005
【図４】
2008075403.tif 000006
【図５】
2008075403.tif 000007